(57)【特許請求の範囲】
【請求項１】
複数台のエレベータのそれぞれを、地震発生時に所定以上の揺れがあったときに地震管制運転させ、この地震管制運転により休止した前記エレベータを監視装置を介して、異常の有無を検出する地震復旧診断運転させる運転制御を行うエレベータの地震復旧診断運転装置において、
前記複数台のエレベータに対して前記地震復旧診断運転させる前記エレベータの優先順位を設定する診断運転設定手段と、この診断運転設定手段で設定された前記優先順位に従って前記複数台のエレベータの前記地震復旧診断運転を開始させる診断運転開始指令を出力する診断運転指令手段と、前記複数台のエレベータのうち前記診断運転開始指令を受けて開始した前記地震復旧診断運転によって異常が検出された特定エレベータの前記地震復旧診断運転を中止させると共に、前記特定エレベータよりも前記優先順位が低い前記エレベータの前記地震復旧診断運転の開始も中止させる診断運転中止指令を出力する診断運転中止手段とを備え、
前記診断運転設定手段は、地震発生時に前記複数台のエレベータにおける乗かごのそれぞれが走行中あるいは停止中であることを示す運行情報と、前記地震管制運転により休止した際の前記各乗かごの位置を示すかご位置情報とに基づいて、前記複数台のエレベータのうち地震発生時に前記乗かごが走行中の前記エレベータよりも地震発生時に前記乗かごが停止中の前記エレベータを優先し、地震発生時に前記乗かごが走行中の前記エレベータのうち前記地震管制運転により休止した際の前記エレベータにおける前記乗かごの位置がより低い前記エレベータを優先し、地震発生時に前記乗かごが停止中の前記エレベータのうち前記地震管制運転により休止した際の前記エレベータにおける前記乗かごの位置がより低い前記エレベータを優先して前記優先順位を設定することを特徴とするエレベータの地震復旧診断運転装置。
【発明の詳細な説明】
【技術分野】
【０００１】
本発明は、地震の揺れを受けて地震管制運転により休止した複数台のエレベータを復旧させるのに好適なエレベータの地震復旧診断運転装置に関する。
【背景技術】
【０００２】
従来より、複数台のエレベータが備えられる場合に、地震が発生したときに各エレベータの異常を点検し、異常の有無に基づいて復旧あるいは適切な処理を行うエレベータの地震復旧診断運転装置が備えられることが多い。このエレベータの地震復旧診断運転装置は、地震発生時に所定以上の揺れがあったときに地震管制運転させ、この地震管制運転により休止したエレベータのそれぞれを、監視装置を介して異常の有無を検出して運転制御を行うものである。
【０００３】
すなわち、これらの運転制御されたエレベータが地震の揺れを受けると、地震管制運転が行われて各エレベータが休止する。各エレベータが休止した後、地震復旧診断運転が行われ、これらの休止したエレベータのかごを走行させて異常の有無を確認する。そして、エレベータに異常が検出されなかった場合には自動的にエレベータが復旧され、エレベータに異常が検出された場合には外部のエレベータの保守会社に通報されて適切な処理が施される。
【０００４】
このようなエレベータの地震復旧診断運転には、各エレベータの地震復旧診断運転中に隣接するエレベータの地震復旧診断運転によって生じる誤作動を防止するために、各台のエレベータの制御盤にそれぞれ設けられ、地震管制運転完了後にタイマーの設定時限が満了すると地震復旧診断運転を複数台同時に行うことなく、１台ずつ時間をずらして順次開始させるタイマー手段を備えたエレベータの地震復旧運転装置が知られている（例えば、特許文献１参照）。
【先行技術文献】
【特許文献】
【０００５】
【特許文献１】特開２００７−１９７２０３号公報
【発明の概要】
【発明が解決しようとする課題】
【０００６】
特許文献１に開示された従来のエレベータの地震復旧運転装置は、タイマー手段によって複数台のエレベータに対し、１台ずつ時間をずらして地震復旧診断運転を順次開始させ、結局エレベータの全台数を地震復旧診断運転させることになる。そのため、地震によってエレベータに異常が生じた可能性が高い場合に、エレベータの全台数を地震復旧診断運転させることに伴って、各エレベータにおける乗かごに備えられた機器や昇降路内に設置された装置等の故障を助長する虞がある。特に、複数台のエレベータに異常が生じている場合に、エレベータの全台数を地震復旧診断運転させることによって複数台のエレベータが故障すると、これらのエレベータを復旧させるまでに時間が掛かり、エレベータのサービス性を損なう虞がある。
【０００７】
本発明は、このような従来技術の実情からなされたもので、その目的は、地震復旧診断運転に伴う故障を回避することができるエレベータの地震復旧診断運転装置を提供することにある。
【課題を解決するための手段】
【０００８】
上記の目的を達成するために、本発明のエレベータの地震復旧診断運転装置は、複数台のエレベータのそれぞれを、地震発生時に所定以上の揺れがあったときに地震管制運転させ、この地震管制運転により休止した前記エレベータを監視装置を介して、異常の有無を検出する地震復旧診断運転させる運転制御を行うエレベータの地震復旧診断運転装置において、前記複数台のエレベータに対して前記地震復旧診断運転させる前記エレベータの優先順位を設定する診断運転設定手段と、この診断運転設定手段で設定された前記優先順位に従って前記複数台のエレベータの前記地震復旧診断運転を開始させる診断運転開始指令を出力する診断運転指令手段と、前記複数台のエレベータのうち前記診断運転開始指令を受けて開始した前記地震復旧診断運転によって異常が検出された特定エレベータの前記地震復旧診断運転を中止させると共に、前記特定エレベータよりも前記優先順位が低い前記エレベータの前記地震復旧診断運転の開始も中止させる診断運転中止指令を出力する診断運転中止手段とを備え、前記診断運転設定手段は、地震発生時に前記複数台のエレベータにおける乗かごのそれぞれが走行中あるいは停止中であることを示す運行情報と、前記地震管制運転により休止した際の前記各乗かごの位置を示すかご位置情報とに基づいて、前記複数台のエレベータのうち地震発生時に前記乗かごが走行中の前記エレベータよりも地震発生時に前記乗かごが停止中の前記エレベータを優先し、地震発生時に前記乗かごが走行中の前記エレベータのうち前記地震管制運転により休止した際の前記エレベータにおける前記乗かごの位置がより低い前記エレベータを優先し、地震発生時に前記乗かごが停止中の前記エレベータのうち前記地震管制運転により休止した際の前記エレベータにおける前記乗かごの位置がより低い前記エレベータを優先して前記優先順位を設定することを特徴としている。
【０００９】
このように構成した本発明は、診断運転設定手段によって異常がない可能性が高いエレベータ順に複数台のエレベータに対して地震復旧診断運転させるエレベータの優先順位を設定し、この優先順位に従って診断運転指令手段によって地震復旧診断運転を開始させるので、異常がないエレベータを迅速に復旧させることができる。そして、診断運転設定手段で設定された優先順位に従って開始された地震復旧診断運転によってエレベータの異常を検出した場合に、この異常が検出された特定エレベータの地震復旧診断運転を診断運転中止手段によって中止させるので、特定エレベータが地震復旧診断運転を継続させることによって故障することを回避することができる。さらに、診断運転中止手段によって特定エレベータよりも優先順位が低いエレベータ、つまり特定エレベータよりも異常がある可能性が高いエレベータの地震復旧診断運転の開始を中止させるので、地震復旧診断運転によって複数台のエレベータが故障することを回避することができる。すなわち本発明によれば、地震復旧診断運転に伴う故障を回避することができる。
【００１１】
また、診断運転設定手段が、地震発生時の各エレベータにおける乗かごの運行情報と、地震管制運転により休止した際の各乗かごのかご位置情報との２つの検出可能なエレベータ情報に基づいて上述の優先順位を設定することにより、設定された優先順位と実際のエレベータに異常がある可能性が低い順位との誤差を減少させることができる。これにより、エレベータの地震復旧診断運転に対する信頼性を高めることができる。さらに、診断運転設定手段が優先順位を異常がない可能性が高いエレベータ順に合理的に設定することができる。
【発明の効果】
【００１３】
本発明は、複数台のエレベータに対して地震復旧診断運転させるエレベータの優先順位を設定する診断運転設定手段と、この診断運転設定手段で設定された優先順位に従って複数台のエレベータの地震復旧診断運転を開始させる診断運転開始指令を出力する診断運転指令手段とを備えている。そのため、診断運転設定手段によって設定された優先順位におけるエレベータ順に診断運転指令手段で地震復旧診断運転を開始させるので、異常がないエレベータを迅速に復旧させることができ、高いサービス性を確保することができる。
【００１４】
そして、本発明は、複数台のエレベータのうち診断運転開始指令を受けて開始した地震復旧診断運転によって異常が検出された特定エレベータの地震復旧診断運転を中止させると共に、特定エレベータよりも優先順位が低いエレベータの地震復旧診断運転の開始も中止させる診断運転中止指令を出力する診断運転中止手段とを備え、診断運転設定手段は、地震発生時に複数台のエレベータにおける乗かごのそれぞれが走行中あるいは停止中であることを示す運行情報と、地震管制運転により休止した際の各乗かごの位置を示すかご位置情報とに基づいて、複数台のエレベータのうち地震発生時に乗かごが走行中のエレベータよりも地震発生時に乗かごが停止中のエレベータを優先し、地震発生時に乗かごが走行中のエレベータのうち地震管制運転により休止した際のエレベータにおける乗かごの位置がより低いエレベータを優先し、地震発生時に乗かごが停止中のエレベータのうち地震管制運転により休止した際のエレベータにおける乗かごの位置がより低いエレベータを優先して優先順位を設定している。これにより、地震復旧診断運転によって異常を検出した特定エレベータ及びこの特定エレベータよりも後に地震復旧診断運転させるエレベータ、すなわち地震復旧診断運転で異常が検出される可能性が高いエレベータを診断運転中止手段によって地震復旧診断運転に伴う故障を回避することができ、従来に比べてエレベータの安全性及びサービス性を向上させることができる。
【図面の簡単な説明】
【００１５】
【図１】本発明に係るエレベータの地震復旧診断運転装置の一実施形態の構成を示す図である。
【図２】本実施形態の動作手順を示すフローチャートである。
【発明を実施するための形態】
【００１６】
以下、本発明に係るエレベータの地震復旧診断運転装置を実施するための形態を図に基づいて説明する。
【００１７】
本発明に係るエレベータの地震復旧診断運転装置の一実施形態は複数台のエレベータ、例えば図１に示すように、２台のエレベータ３０（１号機），３１（２号機）に適用される。エレベータ３０は、図示しない昇降路内を昇降して乗客を上下の階床へ運ぶ乗かご１と、主ロープ２を介して乗かご１と相対的に昇降する釣合い錘４と、主ロープ２が巻き掛けられて乗かご１に駆動力を伝動する巻上機３と、乗かご１の運転を制御する制御盤５と、この制御盤５に接続されてエレベータ３０の状態を監視及び診断し、制御盤５を介して乗かご１を運転させる監視装置８とを備えている。
【００１８】
同様に、エレベータ３１は、図示しない昇降路内を昇降して乗客を上下の階床へ運ぶ乗かご２６と、主ロープ２５を介して乗かご２６と相対的に昇降する釣合い錘２４と、主ロープ２５が巻き掛けられて乗かご２６に駆動力を伝動する巻上機２３と、乗かご２６の運転を制御する制御盤１７と、この制御盤１７に接続されてエレベータ３１の状態を監視及び診断し、制御盤１７を介して乗かご２６を運転させる監視装置２０とを備えている。
【００１９】
また、各エレベータ３０，３１の制御盤５，１７は群管理盤１４にそれぞれ接続されている。この群管理盤１４はＩ／Ｆ回路１５及び制御回路１６を備えており、これらエレベータ３０，３１を群管理制御している。さらに、各エレベータ３０，３１の制御盤５，１７は地震感知器１１にそれぞれ接続されている。この地震感知器１１は、Ｉ／Ｆ回路１３及び制御回路１２を備えており、図示しない昇降路内あるいは機械室等に設置され、所定震度以上の揺れを感知した際に地震情報を知らせる信号を制御盤５，１７へそれぞれ出力する。
【００２０】
また、エレベータ３０，３１の各制御盤５，１７は、Ｉ／Ｆ回路６，１８及び制御回路７，１９をそれぞれ備えており、地震感知器１１から地震情報の信号を受信すると、各エレベータ３０，３１を地震管制運転して休止させる。
【００２１】
同様に、エレベータ３０，３１の各監視装置８，２０は、Ｉ／Ｆ回路９，２１及び制御回路１０，２２をそれぞれ備えており、このＩ／Ｆ回路９は、地震発生時のエレベータ３０における乗かご１が走行中あるいは停止中であることを示す運行情報、乗かご１の位置を示すかご位置情報、及びエレベータ３０のサービス階床の数の確認情報等のエレベータ３０の情報を記録する。同様に、Ｉ／Ｆ回路２１は、地震発生時のエレベータ３１における乗かご２６が走行中あるいは停止中であることを示す運行情報、乗かご２６の位置を示すかご位置情報、及びエレベータ３１のサービス階床の数の確認情報等のエレベータ３１の情報を記録する。また、これら監視装置８，２０は互いに接続されており、エレベータ３０，３１の各制御盤５，１７が地震感知器１１から地震情報の信号を受信すると、監視装置２０がＩ／Ｆ回路２１に記録されているエレベータ３１における乗かご２６の運行情報及びかご位置情報を監視装置８へ送信する。
【００２２】
また、監視装置８の制御回路１０は、エレベータ３０，３１に対して地震復旧診断運転させるエレベータ３０，３１の優先順位を設定する診断運転設定手段と、この診断運転設定手段で設定された優先順位に従ってエレベータ３０，３１の地震復旧診断運転を開始させる診断運転開始指令を制御盤５，１７へ出力する診断運転指令手段とを内部に含んでいる。
【００２３】
さらに、監視装置８の制御回路１０は、エレベータ３０，３１のうち診断運転開始指令を受けて開始した地震復旧診断運転によって異常が検出された特定エレベータの地震復旧診断運転を中止させると共に、特定エレベータよりも優先順位が低いエレベータの地震復旧診断運転の開始も中止させる診断運転中止指令を出力する診断運転中止手段も内部に含んでいる。
【００２４】
また、監視装置８の制御回路１０の診断運転設定手段は、例えば地震発生時にエレベータ３０，３１における乗かご１，２６のそれぞれが走行中あるいは停止中であることを示す運行情報と、地震管制運転により休止した際の各乗かご１，２６の位置を示すかご位置情報とに基づいて上述の優先順位を設定する。
【００２５】
具体的には、監視装置８の制御回路１０の診断運転設定手段は、エレベータ３０，３１のうち地震発生時に乗かごが走行中のエレベータよりも地震発生時に乗かごが停止中のエレベータを優先し、地震発生時に乗かごが走行中のエレベータのうち地震管制運転により休止した際のエレベータにおける乗かごの位置がより低いエレベータを優先し、地震発生時に乗かごが停止中のエレベータのうち地震管制運転により休止した際のエレベータにおける乗かごの位置がより低いエレベータを優先して優先順位を設定する。
【００２６】
以下、本実施形態によって運転制御されたエレベータ３０，３１が所定以上の地震の揺れを受けたときの動作を図２に基づいて説明する。
【００２７】
図２に示すように、地震が発生して各エレベータ３０，３１が地震の揺れを受けると（Ｓ１００）、地震感知器１１が起動して地震の揺れを検出し、この地震情報を知らせる信号を制御盤５，１７へそれぞれ出力する。この信号を受けた各制御盤５，１７はそれぞれ地震管制運転を行い、エレベータ３０，３１の乗かご１，２６を最寄階にそれぞれ移動させて停止させる。そして、乗かご１，２６内の乗客を降ろした後、エレベータ３０，３１を休止する。
【００２８】
次に、エレベータ３０の制御盤５が、Ｉ／Ｆ回路６から読み取った地震発生時のエレベータ３０における乗かご１が走行中あるいは停止中であることを示す運行情報、地震管制運転により休止した際の乗かご１の位置を示すかご位置情報、及びエレベータ３０のサービス階床の数の確認情報等のエレベータ３０の情報を監視装置８内のＩ／Ｆ回路９へ送信する（Ｓ１０１）。これと同時に、エレベータ３１の制御盤１７が、Ｉ／Ｆ回路１８から読み取った地震発生時のエレベータ３１における乗かご２６が走行中あるいは停止中であることを示す運行情報、地震管制運転により休止した際の乗かご２６の位置を示すかご位置情報、及びエレベータ３１のサービス階床の数の確認情報等のエレベータ３１の情報を監視装置２０内のＩ／Ｆ回路２１へ送信する（Ｓ１０１）。
【００２９】
そして、エレベータ３０の制御盤５は地震感知器１１から受信した地震情報を監視装置８へ送信し、監視装置８は受信した地震情報から地震感知器１１が高ガルを感知したと判断した場合に処理を終了し（Ｓ１０２）、作業者が安全を確認するまでエレベータ３０を休止状態とする制御を行う。これと同時に、エレベータ３１の制御盤１７は地震感知器１１から受信した地震情報を監視装置２０へ送信し、監視装置２０は受信した地震情報から地震感知器１１が高ガルを感知したと判断した場合に処理を終了し（Ｓ１０２）、作業者が安全を確認するまでエレベータ３１を休止状態とする制御を行う。
【００３０】
一方、手順Ｓ１０２において監視装置８，２０が受信した地震情報から地震感知器１１が高ガルの振動を感知していないと判断した場合に、エレベータ３０の監視装置８以外のエレベータの監視装置、すなわちエレベータ３１の監視装置２０が手順Ｓ１０１で受信したエレベータ３１の情報をエレベータ３０の監視装置８へ送信する。
【００３１】
そして、この監視装置８はエレベータ３０の運行情報とエレベータ３１の運行情報とをそれぞれ比較し、地震発生時にエレベータ３０，３１における乗かご１，２６の双方が停止中でないと判断した場合（Ｓ１０３）、監視装置８は、地震発生時に「乗かご１が走行中かつ乗かご２６が停止中」であるかどうかを判断する（Ｓ１０４）。監視装置８は、地震発生時に「乗かご１が走行中かつ乗かご２６が停止中」でないと判断した場合（Ｓ１０４）、地震発生時に「乗かご１が停止中かつ乗かご２６が走行中」であるかどうかを判断する（Ｓ１０５）。
【００３２】
手順Ｓ１０３において監視装置８が地震発生時に乗かご１，２６の双方が停止中であると判断した場合、又は手順Ｓ１０５において監視装置８が地震発生時に「乗かご１が停止中かつ乗かご２６が走行中」でないと判断した場合、監視装置８はエレベータ３０のかご位置情報とエレベータ３１のかご位置情報とをそれぞれ比較し、地震管制運転により休止した際の乗かご１の位置が乗かご２６の位置よりも低いかどうか、及び同じであるかどうかを判断する（Ｓ１０６）。すなわち、乗かご１の位置が、乗かご２６の位置よりも最下階に近いか、又は両乗かごの位置が同じか判断する（Ｓ１０６）。
【００３３】
手順Ｓ１０５において監視装置８が地震発生時に「乗かご１が停止中かつ乗かご２６が走行中」であると判断した場合、又は手順Ｓ１０６において監視装置８が地震管制運転により休止した際の乗かご１の位置が乗かご２６の位置よりも低い、あるいは同じであると判断した場合、監視装置８の制御回路１０に含まれる診断運転設定手段は、優先順位としてエレベータ３１よりもエレベータ３０（１号機）を優先する（Ｓ１０７）。
【００３４】
その後、監視装置８は診断運転設定手段で設定された優先順位を監視装置８以外の監視装置、すなわち監視装置２０へ送信する。そして、監視装置８の制御回路１０に含まれる診断運転指令手段によって診断運転開始指令を制御盤５へ出力し、エレベータ３０の地震復旧診断運転を開始させる。監視装置８は、エレベータ３０の地震復旧診断運転で異常を検出しなければ、診断運転指令手段によって診断運転開始指令を監視装置２０へ出力する。監視装置２０はこの診断運転開始指令を受信すると、制御盤１７を介してエレベータ３１の地震復旧診断運転を開始させる。
【００３５】
ここで、監視装置８以外の各監視装置、すなわち監視装置２０は、自号機であるエレベータ３１の地震復旧診断運転が終了した後に終了指令を監視装置８へ送信する。そして、監視装置８は、エレベータ３０，３１の全てを地震復旧診断運転させたかどうかを判断する（Ｓ１０９）。
【００３６】
ここで、例えば監視装置８がエレベータ３０，３１の双方共を地震復旧診断運転させていないと判断した場合（Ｓ１０９）、エレベータ３１よりも優先順位の高いエレベータ３０の制御盤５へ診断運転指令手段によって診断運転開始指令を出力し、エレベータ３０の地震復旧診断運転を開始させる（Ｓ１１０）。そして、エレベータ３０の地震復旧診断運転によって異常を検出した場合（Ｓ１１１）、監視装置８は、エレベータ３０を特定エレベータとして診断運転中止手段によって地震復旧診断運転を中止させ、さらに診断運転中止指令を監視装置２０へ出力してエレベータ３０よりも優先順位が低いエレベータ３１の地震復旧診断運転の開始も中止させる。
【００３７】
また、手順Ｓ１１１においてエレベータ３０の地震復旧診断運転によって異常を検出しなかった場合、監視装置８がエレベータ３０の地震復旧診断運転が完了したと判断し（Ｓ１１２）、再びエレベータ３１を地震復旧診断運転させたかどうかを判断する（Ｓ１０９）。そして、監視装置８がエレベータ３１を地震復旧診断運転させたと判断した場合（Ｓ１０９）、動作を終了し、エレベータ３１を地震復旧診断運転していないと判断した場合（Ｓ１０９）、手順Ｓ１１０〜手順Ｓ１１２を繰り返して動作を終了する。
【００３８】
一方、手順Ｓ１０４において監視装置８が地震発生時に「乗かご１が走行中かつ乗かご２６が停止中」であると判断した場合、又は手順Ｓ１０６において監視装置８が地震管制運転により休止した際の乗かご１の位置が乗かご２６の位置よりも高いと判断した場合、監視装置８の制御回路１０に含まれる診断運転設定手段は、優先順位としてエレベータ３０よりもエレベータ３１を優先する（Ｓ１０８）。
【００３９】
その後、監視装置８は診断運転設定手段で設定された優先順位を監視装置８以外の監視装置、すなわち監視装置２０へ送信する。そして、監視装置８の制御回路１０に含まれる診断運転指令手段によって診断運転開始指令を監視装置２０へ出力し、監視装置２０は制御盤１７を介してエレベータ３１の地震復旧診断運転を開始させる。監視装置８は、監視装置２０を介してエレベータ３１の地震復旧診断運転で異常を検出しなければ、診断運転指令手段によって診断運転開始指令を制御盤５へ出力してエレベータ３０の地震復旧診断運転を開始させる。
【００４０】
ここで、例えば監視装置８がエレベータ３０，３１の双方を地震復旧診断運転させていないと判断した場合（Ｓ１０９）、エレベータ３０よりも優先順位の高いエレベータ３１の制御盤１７へ診断運転指令手段によって診断運転開始指令を出力し、エレベータ３１の地震復旧診断運転を開始させる（Ｓ１１０）。そして、エレベータ３１の地震復旧診断運転によって異常を検出した場合（Ｓ１１１）、監視装置８は、エレベータ３１を特定エレベータとして診断運転中止手段によって監視装置２０を介して地震復旧診断運転を中止させ、さらに診断運転中止指令を制御盤５へ出力してエレベータ３１よりも優先順位が低いエレベータ３０の地震復旧診断運転の開始も中止させる。
【００４１】
また、手順Ｓ１１１においてエレベータ３１の地震復旧診断運転によって異常を検出しなかった場合、監視装置８が監視装置２０を介してエレベータ３１の地震復旧診断運転が完了したと判断し（Ｓ１１２）、再びエレベータ３０を地震復旧診断運転させたかどうかを判断する（Ｓ１０９）。そして、監視装置８がエレベータ３０を地震復旧診断運転させたと判断した場合（Ｓ１０９）、動作を終了し、エレベータ３０を地震復旧診断運転していないと判断した場合（Ｓ１０９）、手順Ｓ１１０〜手順Ｓ１１２を繰り返して動作を終了する。
【００４２】
このように構成した本実施形態は、監視装置８の制御回路１０に含まれる診断運転設定手段が手順Ｓ１０３〜Ｓ１０６におけるエレベータ３０，３１の運行情報及びかご位置情報に基づいて、手順Ｓ１０７、Ｓ１０８において異常がない可能性が高いエレベータ順に地震復旧診断運転させるエレベータ３０，３１の優先順位を設定し、監視装置８，２０は、この優先順位に従って監視装置８の制御回路１０に含まれる診断運転指令手段によって地震復旧診断運転を開始させるので、異常がないエレベータを迅速に復旧させることができる。
【００４３】
そして、手順Ｓ１１１において監視装置８，２０が地震復旧診断運転によってエレベータ３０，３１のいずれか一方に異常を検出した場合、監視装置８は、制御回路１０に含まれる診断運転中止手段によってこの異常が検出されたエレベータを特定エレベータとして地震復旧診断運転を中止させるので、特定エレベータが地震復旧診断運転を継続させることによって故障することを回避することができる。
【００４４】
さらに、手順Ｓ１０７の後、手順Ｓ１１１において監視装置８，２０が地震復旧診断運転によってエレベータ３０，３１の双方に異常を検出した場合、診断運転中止手段によってエレベータ３０の地震復旧診断運転を中止させると共に、エレベータ３０よりも異常がある可能性が高いエレベータ３１の地震復旧診断運転の開始を中止させるので、地震復旧診断運転によってエレベータ３０，３１が同時に故障することを回避することができる。また、手順Ｓ１０８の後、手順Ｓ１１１において監視装置８，２０が地震復旧診断運転によってエレベータ３０，３１の双方に異常を検出した場合、診断運転中止手段によってエレベータ３１の地震復旧診断運転を中止させると共に、エレベータ３１よりも異常がある可能性が高いエレベータ３０の地震復旧診断運転の開始を中止させるので、地震復旧診断運転によってエレベータ３０，３１が同時に故障することを回避することができる。
【００４５】
このように本実施形態は、地震復旧診断運転に伴う故障を回避することができ、エレベータの安全性を高めることができる。特に、地震復旧診断運転に伴って複数台のエレベータ３０，３１の故障が悪化することが防止されるので、復旧に要する時間を削減することができ、エレベータのサービス性を向上させることができる。
【００４６】
また、本実施形態は、監視装置８の制御回路１０に含まれる診断運転設定手段が、地震発生時にエレベータ３０，３１における乗かご１，２６のそれぞれが走行中あるいは停止中であることを示す運行情報と、地震管制運転により休止した際の各乗かご１，２６の位置を示すかご位置情報との２つの検出可能なエレベータ３０，３１の情報に基づいて地震復旧診断運転させる優先順位を設定することにより、設定されたエレベータ３０，３１の優先順位と実際のエレベータ３０，３１に異常がある可能性が低い順位との誤差を減少させることができる。これにより、エレベータの地震復旧診断運転に対する信頼性を高めることができる。
【００４７】
また、本実施形態は、監視装置８の制御回路１０に含まれる診断運転設定手段は、手順Ｓ１０３〜手順Ｓ１０５においてエレベータ３０，３１のうち地震発生時に乗かごが走行中のエレベータよりも地震発生時に乗かごが停止中のエレベータを優先し、手順Ｓ１０６において地震発生時に乗かご１，２６が走行中のエレベータ３０，３１のうち地震管制運転により休止した際のエレベータ３０，３１における乗かご１，２６の位置がより低いエレベータを優先し、手順Ｓ１０６において地震発生時に乗かご１，２６が停止中のエレベータ３０，３１のうち地震管制運転により休止した際のエレベータ３０，３１における乗かご１，２６の位置がより低いエレベータを優先して優先順位を設定している。
【００４８】
ここで、地震発生時において複数台のエレベータ３０，３１における乗かご１，２６が走行中のエレベータよりも乗かご１，２６が停止中のエレベータのほうが地震でエレベータに異常が生じる可能性が低い。一方、地震発生時に複数台のエレベータ３０，３１における乗かご１，２６の運行情報が同一である場合、地震管制運転により休止した際の乗かご１，２６の位置が低い方が地震でエレベータに異常が生じる可能性がより低い。
【００４９】
そのため、監視装置８の診断運転設定手段が上述したように地震復旧診断運転させる優先順位を設定し、エレベータ３０，３１の運行情報とかご位置情報とに応じてＳ１０３〜Ｓ１０６の動作手順に従うことにより、優先順位を異常がない可能性が高いエレベータ順に合理的に設定することができる。
【符号の説明】
【００５０】
１，２６  乗かご
２，２５  主ロープ
３，２３  巻上機
４，２４  釣合い錘
５，１７  制御盤
６，９，１３，１５，１８，２１  Ｉ／Ｆ回路
７，１０，１２，１６，１９，２２  制御回路
８，２０  監視装置
１１  地震感知器
１４  群管理盤
３０，３１  エレベータ
【図１】
0005388801.tif 000002
【図２】
0005388801.tif 000003